(57)【特許請求の範囲】
【請求項１】
複数の棟で構成される集合住宅の各住戸に住戸インターホンを設置し、各住戸の住戸インターホンを監視盤に接続した集合住宅監視通話システムであって、
上記各住戸の住戸インターホンの物理アドレスは、階番号と室番号とで構成され、その階番号は、各棟の階の順番に、複数の棟にまたがって連続した番号が割り当てられ、かつ、その室番号は、各棟の各階の室の順番に番号が割り当てられており、
上記集合住宅の各棟は、各階が同じ室数の複数の階で構成され、かつ上記住戸番号は、階番号と室番号とで構成されており、
上記監視盤は、各住戸インターホンに割り当てられた物理アドレスと、上記複数の棟に割り当てられた住戸番号とを対応させて登録するテーブルを備えており、
上記住戸インターホンの物理アドレスを、棟番号と、その棟の住戸番号の範囲を、最小階番号及び最小室番号と、最大階番号及び最大室番号とで指定したときには、
上記テーブルには、割り当てられた棟毎に、上記物理アドレスの階番号の順に対応させて、上記住戸番号の階番号を１ずつ加えて設定登録するとともに、上記物理アドレスの室番号の順に対応させて、上記住戸番号の室番号を１ずつ加えて設定登録することを特徴とする集合住宅監視通話システム。
【発明の詳細な説明】
【０００１】
【発明の属する技術分野】
本発明は、複数の棟で構成された集合住宅の監視通話システムにおける、監視盤のテーブル設定に関する。
【０００２】
【従来の技術】
従来から、集合住宅の各住戸に付与される住戸番号は、階番号と室番号とを組み合わせて構成している場合が多い。例えば、１階の一番端（最初）の住戸には、住戸番号「１０１」が付与されている。
【０００３】
一方、集合住宅では、各住戸には住戸インターホンを設置し、その各住戸の住戸インターホンを、管理室などに設置した監視盤に接続して、集合住宅監視通話システムを構成している。
【０００４】
各住戸インターホンと監視盤とはインターホン通話が可能であり、また、監視盤は、共同玄関に設置されたロビーインターホンを接続して、ロビーインターホンから、住戸を指定した呼出があると、その住戸の住戸インターホンを呼び出し、両者の通話を可能にしている。
【０００５】
また、住戸インターホンに、火災感知器などのセキュリティセンサを接続して、センサが作動すると、住戸インターホンから監視盤に異常信号が送信され、監視盤において警報出力などを行うようになっている。
【０００６】
各住戸の住戸インターホンには、予め、アドレス設定スイッチなどの操作によって、物理アドレスが設定登録されており、これによって、監視盤との間における伝送を可能にしている。
【０００７】
一方の監視盤には、各住戸インターホンに割り当てられた物理アドレスと、住戸番号とを対応させて登録した住戸番号テーブルを備えており、このテーブルを参照することによって、各住戸インターホンとの伝送が可能になっている。
【０００８】
【発明が解決しようとする課題】
ところが、上記従来の集合住宅監視通話システムでは、監視盤において、住戸番号テーブルに住戸番号を設定する場合に、予め、初期値として住戸番号テーブルに設定されている住戸番号の中に存在しない住戸番号を設定しようとすれば、その住戸番号を１住戸毎に個別に設定する必要がある。
【０００９】
このような書き換え作業は、複数の棟で構成される集合住宅では、必ず行わなければならなかった。すなわち、監視盤は、管理棟などに１台が設置されているのみであって、住戸番号テーブルの初期値として、住戸番号が重複しないように設定されているのに対し、各棟には同じ住戸番号が付与されているため、２棟目以降の住戸については、住戸番号テーブルの書き換え作業が必須であり、その作業に手間がかかっていた。
【００１０】
本発明は、このような事情を考慮してなされたものであり、複数の棟で構成される集合住宅において、監視盤に対し、各住戸の住戸インターホンのアドレスと、住戸番号との対応が簡単に設定登録できる集合住宅監視通話システムを提供することを目的としている。
【００１１】
【課題を解決するための手段】
上記目的を達成するために、本発明の請求項１に記載の集合住宅監視通話システムは、複数の棟で構成される集合住宅の各住戸に住戸インターホンを設置し、各住戸の住戸インターホンを監視盤に接続した集合住宅監視通話システムであって、上記各住戸の住戸インターホンの物理アドレスは、階番号と室番号とで構成され、その階番号は、各棟の階の順番に、複数の棟にまたがって連続した番号が割り当てられ、かつ、その室番号は、各棟の各階の室の順番に番号が割り当てられており、上記集合住宅の各棟は、各階が同じ室数の複数の階で構成され、かつ上記住戸番号は、階番号と室番号とで構成されており、上記監視盤は、各住戸インターホンに割り当てられた物理アドレスと、上記複数の棟に割り当てられた住戸番号とを対応させて登録するテーブルを備えており、上記住戸インターホンの物理アドレスを、棟番号と、その棟の住戸番号の範囲を、最小階番号及び最小室番号と、最大階番号及び最大室番号とで指定したときには、上記テーブルには、割り当てられた棟毎に、上記物理アドレスの階番号の順に対応させて、上記住戸番号の階番号を１ずつ加えて設定登録するとともに、上記物理アドレスの室番号の順に対応させて、上記住戸番号の室番号を１ずつ加えて設定登録する。
【００１５】
【発明の実施の形態】
以下に、本発明の実施の形態について、図面とともに説明する。図１は、本発明の要旨である住戸番号の読み替えを説明する図、図２は、（ａ）監視盤の住戸番号テーブルの構成例と、（ｂ）住戸インターホンの物理アドレスを設定する手段の例を示す図、図３は、（ａ）監視盤の内部構成例と、（ｂ）住戸インターホンの内部構成例とを示すブロック図、図４は、集合住宅監視通話システムの構成の一例を示す図である。
【００１６】
図４に示すように、集合住宅監視通話システムは、集合住宅の各住戸に住戸インターホン２を設置し、各住戸の住戸インターホン２を監視盤１に接続して構成されている。本発明では、複数の棟で構成されている集合住宅を前提としており、各棟の各住戸に設置された住戸インターホン２のすべてを、管理棟などに設置された１台の監視盤１によって監視し、インターホン通話を制御している。
【００１７】
各住戸の住戸インターホン２は、火災感知器や防犯センサなどの各種セキュリティセンサを接続して住宅情報盤を構成しており、非常電源６によって電源バックアップがなされている。監視盤１には、ロビーインターホン３を接続して、住戸インターホン２との通話を可能としている。また、監視盤１は、各住戸インターホン２からの異常信号を受信する受信機を構成しており、共用部感知器４を接続するとともに、警報等を出力するための共用部スピーカ５を接続している。
【００１８】
監視盤１は、各住戸インターホン２に割り当てられた物理アドレスと、住戸番号とを対応させて登録するテーブル（住戸番号テーブル）を備えており、棟番号と、その棟の住戸番号の範囲とを指定することによって、テーブルを自動的に設定登録するようになっている。
【００１９】
これによって、集合住宅が複数の棟で構成されている場合であっても、監視盤１において、２棟目以降の住戸番号をテーブルに設定するときに、住戸番号を１住戸毎に個別に設定する必要がなく、簡単にテーブルの書き換え作業ができる。
【００２０】
図１（ａ）には、監視盤１内のテーブルの初期状態を示している。初期状態では、１棟分についての各住戸に対する住戸番号が設定されており、各階が同じ室数の複数の階で構成され、各住戸番号は階番号と室番号とで構成されている。ここでは、各階は１５室（１５戸）で構成され、１５階までの住戸に住戸番号が設定できるようになっている。例えば、住戸番号「１０１５」は、１０階の１５号室を示している。
【００２１】
この初期状態の住戸番号の順番は、各住戸に設置された住戸インターホン２の物理アドレスの順番と一致しており、住戸インターホン２の物理アドレスも、階番号と室番号とで構成されている。集合住宅が複数の棟で構成される場合であっても、住戸インターホン２の物理アドレスの階番号には、各棟の階の順番に、複数の棟にまたがって連続した番号が設定され、室番号には、各棟の各階の室の順番に番号が設定されている。
【００２２】
集合住宅の各棟は、棟毎に、各階が同じ室数の複数の階で構成されており、住戸番号は、階番号と室番号とで構成されている。したがって、棟別に、１つの階に属する室数（戸数）や階数は異なっていてもよい。
【００２３】
この状態において、第２棟以降の住戸番号の範囲を、最小階番号及び最小室番号と、最大階番号及び最大室番号とで指定する。例えば、読み替え棟番号として「２」（第２棟）を設定し、最小階番号及び最小室番号として「１１０１」（１１階１号室）を、最大階番号及び最大室番号として「１５１５」（１５階１５号室）を選択する。
【００２４】
そして、最小階番号及び最小室番号「１１０１」に対して、第２棟の住戸番号として「１０１」を設定すれば、図１（ｂ）に示すように、順に、住戸番号「５１５」までの７５室分の住戸番号が設定される。なお、最小階番号及び最小室番号に対して、「１０１」以外の他の住戸番号を設定してもよく、例えば、住戸番号「１００」を設定すれば、「５１４」までの住戸番号が順に付与される。
【００２５】
また、第２棟が３階建てで各階が１０室で構成されており、最小階番号及び最小室番号として「１１０１」（１１階１号室）を、最大階番号及び最大室番号として「１３１０」（１３階１０号室）を選択し、「１１０１」に対し第２棟の住戸番号として「１０１」を設定した場合は、順に、住戸番号「３１０」までの３０室分の住戸番号が設定される。
【００２６】
更に、第３棟が２階建てで各階が８室で構成されており、最小階番号及び最小室番号として「１４０１」（１４階１号室）を、最大階番号及び最大室番号として「１５０８」（１５階８号室）を選択し、「１４０１」に対し第３棟の住戸番号として「１０１」を設定した場合は、順に、住戸番号「２０８」までの１６室分の住戸番号が設定される。
【００２７】
監視盤１のテーブルには、物理アドレスの階番号の順に対応させて、住戸番号の階番号を１ずつ加えて設定登録する。また、物理アドレスの室番号の順に対応させて、住戸番号の室番号を１ずつ加えて設定登録する。このように、本発明によれば、２棟目以降の住戸番号のテーブルへの設定登録時には、各住戸について、何回もの書き換え操作は必要ではなく、１棟について２つの住戸を指定するだけでよい。
【００２８】
図２（ａ）は、監視盤１の住戸番号テーブルの内容の一例を示す図である。各住戸の住戸インターホン２の物理アドレスは、ここでは、図２（ｂ）に示すように、９ビットのディップスイッチで設定できるようになっており、ページ設定の１ビット、階番号を示す上位４ビット、室番号を示す下位４ビットで表現されるようになっている。図では「１０１」号室の物理アドレスの設定例を示している。（ａ）に示すテーブルでは、物理アドレスと住戸番号とを対応させて登録しており、図では、初期設定の状態を示している。
【００２９】
図３（ａ）に示すように、監視盤１には、メインＣＰＵ１０と、各住戸の住戸インターホン２等との間の多重伝送を行うための伝送ＣＰＵ１１及びドライバー回路１２と、テーブルの書き換え時にキー入力やＬＥＤ表示等を行うためのＩ／ＯＣＰＵ１３及びキーマトリクス・ＬＥＤマトリクス１４と、制御プログラムなどを格納したＲＯＭ１５と、各種データを記憶するＲＡＭ１６と、インターホン通話のためのＩ／Ｏ１７及びインターホン回路１８とを備える。
【００３０】
ここでは、ＲＯＭ１５は書き換え可能なようにＥＥＰＲＯＭなどで構成されており、住戸番号テーブル１５ａを備えている。住戸番号テーブル１５ａには、各住戸の住戸インターホン２の物理アドレスと、住戸番号とが対応して登録されており（図２（ａ）参照）、メインＣＰＵ１０では、このテーブル１５ａを参照して、住戸インターホン２との間で伝送を行う。
【００３１】
住戸インターホン２は、図３（ｂ）に示すように、メインＣＰＵ２０と、監視盤１との間で伝送制御を行うためのドライバー回路２１と、インターホン通話を行うためのインターホン回路２２と、ＥＥＰＲＯＭ２３とを備えている。メインＣＰＵ１０は、ディップスイッチなどで設定された物理アドレスを、ＥＥＰＲＯＭ２３に書き込み、そのアドレスに従って伝送を制御する。
【００３２】
【発明の効果】
以上の説明からも理解できるように、本発明の請求項１に記載の集合住宅監視通話システムは、監視盤において、棟番号と、その棟の住戸番号の範囲とを指定することによって、各住戸インターホンに割り当てられた物理アドレスと、住戸番号とを対応させて登録するテーブルを、自動的に設定登録する。これによって、集合住宅が複数の棟で構成されている場合であっても、監視盤において、２棟目以降の住戸番号をテーブルに設定するときに、住戸番号を１住戸毎に個別に設定する必要がなく、簡単にテーブルの書き換えができる。
【図面の簡単な説明】
【図１】住戸番号の読み替えを説明する図である。
【図２】（ａ）監視盤の住戸番号テーブルの構成例と、（ｂ）住戸インターホンの物理アドレスを設定する手段の例を示す図である。
【図３】（ａ）監視盤の内部構成例と、（ｂ）住戸インターホンの内部構成例を示すブロック図である。
【図４】集合住宅監視通話システムの構成の一例を示す図である。
【符号の説明】
１      監視盤
１５ａ  住戸番号テーブル
２      住戸インターホン
【図１】
0003694786.tif 000002
【図２】
0003694786.tif 000003
【図３】
0003694786.tif 000004
【図４】
0003694786.tif 000005